(57)【要約】      （修正有）【課題】毛髪の染色または着色をスプレータイプで行う場合に前髪の生え際にスプレーすると、どうしても顔の額の部分を汚してしまうという問題がある。そこで顔の部分を面で被うことが考えられるが、額の毛髪の生え際の形が２種類あるので面を２枚用意しなければならない。しかし２種類の面を用意するならば製作コスト、管理コストが高くつく。一枚の面で２種類の人の額の毛髪の生え際に対応できる毛髪の染色または着色時の顔の防護面を提供する。【解決手段】額と頭の境界となる毛髪の生え際が丸形の輪郭のものと、角形の輪郭のものと２種類用意し、顔面を被う透明プラスチック板の上部と下部に分けて、前記の輪郭を配置し、その輪郭は上部のものは上向きで、下部のものは下向きであることを特徴とする毛髪染色または着色時の顔の防護面。【選択図】図１
0003125133.tif 000002
【実用新案登録請求の範囲】
【請求項１】
人の顔を被う透明プラスチック板体１の上部２に毛髪の生え際が丸型の輪郭となる人用の丸型輪郭３を上向きに配置し、下部４に毛髪の生え際が角型の輪郭となる人用の角型輪郭５を下向きに配置したことを特徴とする毛髪染色または着色時の顔の防護面。
【請求項２】
人の顔を被う透明プラスチック板体１の両側部６、６が内側にゆるやかな反り７を有している請求項１に記載の毛髪染色または着色時の顔の防護面。
【考案の詳細な説明】
【技術分野】
【０００１】
本願考案は毛髪染色時または着色時に染色または着色剤が顔に付着するのを防止するために用いる顔の防護面に関する。
【背景技術】
【０００２】
近年、毛髪の染色が流行し、大人の間では男女を問わず茶髪が一般化しつつあり、取分け女性の間で顕著であり、黒髪のままの女性が珍しくなった。
【０００３】
ところで、毛髪の染色をスプレータイプで行う場合に前髪の生え際にスプレーすると、どうしても顔の部分を汚してしまうという問題がある。
【０００４】
そこで、顔の部分を面で覆うことが考えられるが、額の毛髪の生え際の形が丸形と角形の２種類に分かれるので、面の形を２枚用意しなければならないことに気付く。しかし２枚の面を用意するならば製作側からすれば製作コストや管理コストが高くつき、使用者側からすれば一家に上記した丸形と角形の者がいるような時には種類の異なる２枚を用意しなければならず問題があることは明らかである。
【０００５】
製作コストや管理コストが安価な面を作るにはどうすれば良いか。一家に上記した前髪の生え際が丸形と角形の者がいるような時にはどうしても種類の異なる２枚の面が必要なのか。一種類の面で上記した丸形の人にも角形の人にも対応できる面を作れば良いということである。
【０００６】
従来、洗髪時にシャワーのしぶきが顔にかかるのを防止するために顔を防水性シートでカバーするような提案が見られるが、上記したように一種類の面で２種類の人の額の毛髪の生え際に対応できるような毛髪染色または着色時の顔の防護面の提案は見当たらない。
【特許文献１】なし
【非特許文献１】なし
【考案の開示】
【考案が解決しようとする課題】
【０００７】
本考案は１枚の面で２種類の人の額の毛髪の生え際に対応できるような毛髪染色または着色時の顔の防護面を考案することにより、先に「背景技術」の欄で説明した問題を解決しようとするものである。
【課題を解決するための手段】
【０００８】
そこで本願考案はこのような現状に鑑み、上記問題を解決すべく、いろいろと研究を行った結果、（１）人の顔を被う透明プラスチック板体１の上部２に毛髪の生え際が丸型の輪郭となる人用の丸型輪郭３を上向きに配置し、下部４に毛髪の生え際が角型の輪郭となる人用の角型輪郭５を下向きに配置したことを特徴とする毛髪染色または着色時の顔の防護面と（２）人の顔を被う透明プラスチック板体１の両側部６、６が内側にゆるやかな反り７を有している前項（１）に記載の毛髪染色または着色時の顔の防護面を考案した。
【考案の効果】
【０００９】
本願考案の毛髪染色または着色時の顔の防護面は、（イ）上部が人の額の毛髪の生え際が丸形の輪郭を呈した生え際の持ち主用となり、下部が人の顔の生え際が角形の輪郭を呈した生え際の持ち主用となり、この２通りのタイプでほとんどの人に使用でき、１枚の面でほとんどの人に対応できる。（ロ）プラスチック板で軽量、嵩も低く扱いが容易である。（ハ）透明であるので、顔を被ってもスプレー作業、スプレーの塗着状況、即ち毛髪の染色や着色状況が明瞭に把握できる。（ニ）両側部が内側に向けてゆるやかに反っている面においては顔に当接し易い利点が加わる。
【考案を実施するための最良の形態】
【００１０】
以下本願考案を完成する上での基本的な事項について説明する。
人の顔を被う透明プラスチック板１は人の顔の平均的な大きさを考慮して決める。透明なものに限定する理由は、カラースプレーを毛髪、特に前髪にスプレーする時に、鏡面を見ながら、本願考案の顔の防護面を顔に当てる位置を決める際や、カラースプレー中の状況確認の際に防護面を通して透視する必要があるためである。透明プラスチック板の厚みは０．１〜０．５ｍｍもあれば、保形性、強度的にも十分であるが０．１ｍｍ以下でも０．５ｍｍ以上でも使用できる。スプレーされた染料や顔料が顔の額に付着するのを防止でき、防護面としての使い勝手が満足できる範囲で選べばよい。透明プラスチック板の材質についても特に限定されるものではなく、硬質塩化ビニール、アクリル、ポリエチレン、ポリプロピレン、ポリスチレン、ABS等、幅広く使用できる。
【００１１】
透明プラスチック板１の上部２に人の額の毛髪の生え際が丸形の輪郭となる人用の丸型輪郭３を呈した生え際を形成し、下部４に人の額の毛髪の生え際が角形の輪郭５を呈した生え際を形成したのは、人の額の毛髪の生え際を細かく観察すれば微妙に異なっているが大別すると上記した額の毛髪の生え際が丸形の輪郭３を呈した生え際と角形の輪郭５の生え際に分類することが出来、この２つのタイプの生え際に対応できればほとんどの人に対応できることになるからである。
【００１２】
両側部６、６を内側（面の顔に接触する側）に向けてゆるやかに反らしたのは人の顔の外郭に沿いやすくするためである。
【実施例１】
【００１３】
図１、図２及び図３を参照しながら説明する。図１は本願考案に係る毛髪染色または着色時の顔の防護面の平面図、図２及び図３は図１に示す毛髪染色または着色時の顔の防護面の使用形態を説明する概略説明図である。
【００１４】
図１に示す本願考案に係る毛髪染色または着色時の顔の防護面は横１６ｃｍ、たて１９ｃｍ、厚み０．５ｍｍの長方形で透明な硬質塩化ビニール板からなる人の顔を被う透明プラスチック板１の上部２に人の額の毛髪の生え際が丸形の輪郭３を呈した生え際をカットにより形成し、下部４に人の額の毛髪の生え際が角形の輪郭５を呈した生え際をカットにより形成したものである。
【００１５】
図２は図１に示す毛髪染色または着色時の顔の防護面を額の毛髪の生え際が丸形の輪郭３を持った人に使用する時の状態を示し、図３は図１に示す毛髪染色または着色時の顔の防護面を額の毛髪の生え際が角形の輪郭５を持った人に使用する時の状態を示すもので、図３の場合は、図１に示す毛髪染色または着色時の顔の防護面の上下を逆転して使用した状態を示している。
【実施例２】
【００１６】
図４を参照しながら説明する。図４は本願考案に係る毛髪染色または着色時の顔の防護面の斜視図であり、図１に示す毛髪染色または着色時の顔の防護面の両側部６、６が内側に向けてゆるやかな反り７を有したものである。なお、使用に際しては反らした内側を人の顔面側に向けて使用する。
【実施例３】
【００１７】
図５を参照しながら説明する。図５は本願考案に係る毛髪染色または着色時の顔の防護面の平面図であり、横１５ｃｍ、たて１５ｃｍ、厚み０．３ｍｍの正方形で透明なアクリル板からなる人の顔を被う透明プラスチック板１の上部２に人の額の毛髪の生え際が丸形の輪郭３を呈した生え際をカットにより形成し、下部４に人の額の毛髪の生え際が角形の輪郭５を呈した生え際をカットにより形成したものである。
【００１８】
なお、この毛髪染色または着色時の顔の防護面の使用は実施例１の毛髪染色時の顔の防護面の使用と一緒である。
【産業上の利用可能性】
【００１９】
本願考案は毛髪染色または着色時の顔の防護面を製造、販売および使用する産業分野で利用することが出来る。即ち毛髪の染色または着色時の顔の防護面の製造、販売分野、毛髪の染色または着色時の顔の防護面を使用する理・美容院等で利用することが出来る。
【図面の簡単な説明】
【００２０】
【図１】本願考案に係る毛髪の染色または着色時の顔の防護面の平面図である。
【図２】図１に示す毛髪染色または着色時の顔の防護面の使用状態を説明する概略説明図である。
【図３】図１に示す毛髪染色または着色時の顔の防護面の使用状態を説明する概略説明図である。
【図４】本願考案に係る毛髪の染色または着色時の顔の防護面の斜視図である。
【図５】本願考案に係る毛髪の染色または着色時の顔の防護面の平面図である。
【符号の説明】
【００２１】
１は人の顔を被う透明プラスチック板
２は上部
３は丸形の輪郭
４は下部
５は角形の輪郭
６は側部
７は反り
【図１】
0003125133.tif 000003
【図２】
0003125133.tif 000004
【図３】
0003125133.tif 000005
【図４】
0003125133.tif 000006
【図５】
0003125133.tif 000007